(57)【要約】【課題】芳香器において、所期の芳香を経時的に安定供給すること。【解決手段】芳香器１０であって、芳香剤を収容する容器１２を揮散領域１３に対して密封し、芳香剤の捕捉部２３を容器１２と揮散領域１３との間で移動する芳香剤運搬手段２０を有するもの。【選択図】  図１
2004209101.tif 000002
【特許請求の範囲】
【請求項１】
芳香剤を収容する容器を揮散領域に対して密封し、芳香剤の捕捉部を容器と揮散領域との間で移動する芳香剤運搬手段を有する芳香器。
【請求項２】
前記芳香剤運搬手段が、芳香剤が浸透しないディスクの表面の多数位置に捕捉部を備え、該ディスクを回転可能に支持し、該ディスクの下側の一部を容器内の芳香剤中に浸漬し、該ディスクの残部を該容器に設けた密封部材から該容器の外の揮散領域に位置付ける請求項１に記載の芳香器。
【請求項３】
前記芳香剤運搬手段が、芳香剤が浸透しないベルトの表面の多数位置に捕捉部を備え、該ベルトを周回可能に支持し、該ベルトの一部を容器内の芳香剤中に浸漬し、該ベルトの残部を該容器に設けた密封部材から該容器の外の揮散領域に位置付ける請求項１に記載の芳香器。
【請求項４】
前記芳香剤運搬手段と、前記揮散領域の側傍に設けたファンをモータにより駆動可能にする請求項１〜３のいずれかに記載の芳香器。
【発明の詳細な説明】
【０００１】
【発明の属する技術分野】
本発明は芳香器に関する。
【０００２】
【従来の技術】
特許文献１に記載の如く、芳香剤を収容する容器に吸上げ部材の一端を浸漬し、吸上げ部材の他端を揮散領域に位置付け、吸上げ部材に浸透した容器内の芳香剤を揮散領域にて揮散するものがある。
【０００３】
特許文献２に記載の如く、芳香剤を収容する容器にディスクの下側の一部を浸漬し、このディスクを回転させることにより、ディスクの表面に付着した芳香剤を容器の外の揮散領域にて揮散するものがある。
【０００４】
【特許文献１】
特開平９−１８７４９５（２頁、図４）
【０００５】
【特許文献２】
特表平１０−５０７９３９（２頁、図１）
【０００６】
【発明が解決しようとする課題】
特許文献１では、吸上げ部材が容器の芳香剤を常時吸上げて揮散させているため、容器内の芳香剤の成分のうち揮散し易い芳香成分が先に揮散してしまい、容器内の芳香剤の組成が経時的に変化し、所期の芳香を供給できなくなる。また、吸上げ部材の中に揮散しにくい成分が残ってつまり、吸上げ部材の吸上げ能力を経時的に低下し、香りが弱くなる。
【０００７】
特許文献２では、芳香剤の容器を密封していないから、容器内の芳香剤がディスクにより搬出されるだけでなく、容器から常時直接的に揮散する。このため、容器内の芳香剤の成分のうち揮散し易い芳香成分が先に揮散してしまい、容器内の芳香剤の組成が経時的に変化し、所期の芳香を供給できなくなる。
【０００８】
本発明の課題は、芳香器において、所期の芳香を経時的に安定供給することにある。
【０００９】
【課題を解決するための手段】
請求項１の発明は、芳香剤を収容する容器を揮散領域に対して密封し、芳香剤の捕捉部を容器と揮散領域との間で移動する芳香剤運搬手段を有する芳香器である。
【００１０】
【発明の実施の形態】
芳香器１０は、建物内の任意のスペース、例えばトイレに設置され、芳香を供給可能にする。
【００１１】
芳香器１０は、例えばトイレのドアのトイレ室内側に引掛ける等により取着されるハウジング１１を有し、ハウジング１１に保持される容器１２を有する。容器１２は、後述するディスク２１の下側円弧に沿う円弧状の底面と、両側面を有し、上部に開口を備え、液状芳香剤Ｌを収容する。
【００１２】
芳香器１０は、ハウジング１１における容器１２の上部空間を揮散領域１３とし、容器１２の上部開口に装填した蓋体１４の下面に設けた密封部材１５により、容器１２を揮散領域１３に対して密封する。密封部材１５は、後述するディスク２１を左右両側から挟む左右の２枚のゴム板からなる。
【００１３】
芳香器１０は、容器１２の蓋体１４における揮散領域１３の側に設けた左右の軸受部１６に、芳香剤運搬手段２０を構成する円盤状ディスク２１の支軸２２を回転可能に支持する。ディスク２１は芳香剤が浸透しない材料からなり、左右の表面の全面に渡る多数位置（図２では捕捉部２３をディスク２１の一部にだけ描いているが、捕捉部２３はディスク２１の全面に渡って設けられている）に円形又は角形の凹溝（貫通孔でも可）からなる芳香剤の捕捉部２３を備える。捕捉部２３は、凹溝（又は孔）だけからなるものに限らず、凹溝（又は孔）にスポンジ、綿等の剤含浸材を詰めたものでも良い。
【００１４】
芳香剤運搬手段２０は、容器１２に設けた密封部材１５の左右のゴム板を分け入るようにしてディスク２１の下側の一部を容器１２内の芳香剤中に浸漬し、ディスク２１の残部を密封部材１５から容器１２の外の揮散領域１３に位置付ける。ディスク２１は、回転によって左右の表面を密封部材１５に摺接させつつ、容器１２と揮散領域１３との間で回動し、容器１２内の芳香剤を捕捉部２３に捕捉し、捕捉部２３に捕捉した芳香剤のうちで密封部材１５によって掻き取られなかった分を揮散領域１３の側に搬出する。
【００１５】
芳香器１０は、芳香剤運搬手段の２０のディスク２１を駆動するための電気ユニット３０をハウジング１１に内蔵する。電気ユニット３０は、電気回路基板３１、電池３２、モータ３３、スイッチ３４を有する。モータ３３は、ハウジング１１に固定され、回転軸３３Ａに設けた小歯車２４Ａとディスク２１の支軸２２に設けた大歯車２４Ｂとの噛合いからなる減速歯車列２４を介して、ディスク２１をゆっくりと回転させる。スイッチ３４は、例えば振動感知スイッチであり、トイレのドアの開閉の度に生ずるドアの振動を感知して一定時間だけオンし、このオン信号によってモータ３３を駆動させる。スイッチ３４は、トイレに到来した利用者を感知する人感知センサ等でも良い。スイッチ３４は、利用者によって操作される手動スイッチでも良い。
【００１６】
芳香器１０は、ハウジング１１において、揮散領域１３と電気ユニット３０のそれぞれの区画に挟まれる区画を排気領域４０とする。排気領域４０では、モータ３３の回転軸３３Ａにファン４１を固定してある。ハウジング１１は、揮散領域１３の外側に吸込口５１を、揮散領域１３と排気領域４０の間の回転軸３３Ａまわり（ファン４１の吸入側）に連通口５２を、排気領域４０におけるファン４１の下方（ファン４１の吐出側）に排気口５３を開口している。
【００１７】
従って、芳香器１０は以下の如く動作する。
（１）利用者がトイレのドアを開閉する度にスイッチ３４がオンすると、モータ３３が駆動し、芳香剤運搬手段２０のディスク２１を回転させるとともに、ファン４１を回転させる。
【００１８】
（２）容器１２内の芳香剤は、ディスク２１の捕捉部２３に浸入、付着して捕捉された状態で密封部材１５を通過する過程で、その余剰分が密封部材１５により掻き取られて容器１２に滴下され戻される。ディスク２１の捕捉部２３に捕捉され、密封部材１５によって掻き取られなかった芳香剤は、容器１２の外の揮散領域１３に搬出され、捕捉部２３から外界に向けて揮散する。
【００１９】
（３）ファン４１の回転によって、吸込口５１から排気口５３に向けて流れる気流が揮散領域１３を横切るように形成されているから、上述（２）の揮散領域１３において、ディスク２１の捕捉部２３から揮散された芳香剤の芳香成分はその気流に乗ってトイレの室内の広い範囲に飛ばされる。
【００２０】
本実施形態によれば以下の作用効果がある。
（請求項１に対応する作用効果）
▲１▼芳香剤運搬手段２０の作動時に容器１２内の芳香剤をディスク２１の捕捉部２３により揮散領域１３に搬出し、その芳香剤を捕捉部２３から外界に向けて揮散させる。容器１２内の芳香剤のうち、捕捉部２３により容器外に搬出された芳香剤だけが揮散し、容器１２内に残存する芳香剤は密封され続けて揮散しない。このため、容器１２内の芳香剤の成分のうち揮散し易い芳香成分が先に揮散する如くがなく、容器１２内の芳香剤の組成は経時的に変化なく安定化し、所期の芳香を経時的に安定供給できる。
【００２１】
▲２▼芳香剤運搬手段２０はディスク２１の捕捉部２３に捕捉した芳香剤だけを容器１２内から汲み上げる如くにして揮散領域１３に運搬するものであり、吸上げ部材への浸透作用の如くにより吸上げるものでない。従って、芳香剤運搬手段２０の運搬能力を経時的に安定化でき、所期の芳香を経時的に安定供給できる。
【００２２】
▲３▼芳香剤供給手段２０の作動時においてだけ芳香を供給できる。従って、スイッチ３４による自動操作（又は手動操作）により、必要時にだけ芳香剤運搬手段２０（及びファン４１）を作動させ、芳香を必要時にだけ供給できる。
【００２３】
（請求項２に対応する作用効果）
▲４▼芳香剤運搬手段２０が、芳香剤が浸透しないディスク２１を用い、容器１２に設けた密封部材１５からディスク２１を容器１２の外に回転させる。従って、ディスク２１の捕捉部２３により容器１２の外に搬出した芳香剤だけを揮散させ、容器１２に残存する芳香剤は密封し続けて揮散させないようにし、かつ芳香剤運搬手段２０の運搬能力を経時的に安定化でき、前述▲１▼〜▲３▼を実現できる。
【００２４】
（請求項４に対応する作用効果）
▲５▼モータ３３により芳香剤運搬手段２０とファン４１を駆動することにより、芳香剤運搬手段２０により容器１２から揮散領域１３に搬出されて揮散した芳香成分を、ファン４１により周辺に広く確実に供給できる。
【００２５】
本発明の実施において、芳香剤運搬手段は、芳香剤が浸透しないベルトの表面の多数位置に捕捉部を備え、該ベルトを周回可能に支持し、該ベルトの一部を容器内の芳香剤中に浸漬し、該ベルトの残部を該容器に設けた密封部材から該容器の外の揮散領域に位置付けるものであっても良い。これによれば、芳香剤運搬手段が、芳香剤が浸透しないベルトを用い、容器に設けた密封部材からベルトを容器の外に周回させる。従って、ベルトの捕捉部により容器外に搬出した芳香剤だけを揮散させ、容器に残存する芳香剤は密封し続けて揮散させないようにし、かつ芳香剤運搬手段の運搬能力を経時的に安定化できる。
【００２６】
本発明の実施において、芳香剤運搬手段は、モータ３３によって駆動されるものに限らず、トイレのドアの開閉力を利用して駆動されるもの、人力によって駆動されるもの等であっても良い。
【００２７】
【発明の効果】
本発明によれば、芳香器において、所期の芳香を経時的に安定供給することができる。
【図面の簡単な説明】
【図１】図１は芳香器を示す模式図である。
【図２】図２は図１のＩＩ−ＩＩ線に沿う断面図である。
【符号の説明】
１０  芳香器
１２  容器
１３  揮散領域
１５  密封部材
２０  芳香剤運搬手段
２１  ディスク
２３  捕捉部
３３  モータ
４１  ファン
【図１】
2004209101.tif 000003
【図２】
2004209101.tif 000004